【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
カメラ本体と前記カメラ本体前方に突き出したレンズ部とを有し、前記カメラ本体には、前記カメラ本体の背面から見て右側の上面にシャッターボタンと、前記カメラ本体を右手で保持するために前記シャッターボタンの下方に伸びるグリップ部と、前記カメラ本体の背面から見て左側の上部に撮影被写体の画像を覗いて観察するための電子ファインダーと、前記電子ファインダーの下部に撮影被写体の画像を表示する表示装置とを有し、右手で前記グリップ部を保持して前記シャッターボタンを押すことにより撮影動作を行うことが可能であり、前記電子ファインダー又は前記表示装置に所定の倍率で撮影被写体の画像を拡大表示することが可能な電子カメラにおいて、
撮影前のピント合わせのためのリアルタイム画像表示時に、撮影被写体の画像を第１の倍率で表示する状態と、前記第１の倍率より高い第２の倍率で撮影被写体の画像を拡大表示する状態とを切り替える切替スイッチを、前記カメラ本体の背面であって、前記表示装置の右側かつ前記グリップ部の左側に配置し、前記切替スイッチは、前記グリップ部を右手で保持した状態で右手の親指によって操作可能であり、かつ、操作時に前記電子ファインダー及び前記表示装置のいずれの観察も阻害しないことを特徴とする電子カメラ。
【請求項２】
前記切替スイッチは、前記表示装置の右上、かつ前記電子ファインダーの右側に配置されていることを特徴とする請求項１に記載の電子カメラ。
【請求項３】
前記切替スイッチから前記第２の倍率への切換指示を受入すると、前記撮影被写体の画像から所定の部分画像を切り出し、該切り出した部分画像が前記第２の倍率となるように前記電子ファインダー又は前記表示装置に拡大表示させ、前記切替スイッチから前記第１の倍率への切換指示を受入すると、前記撮影被写体の画像を前記第１の倍率で前記電子ファインダー又は前記表示装置に表示させる拡大処理手段と、
を備えたことを特徴とする請求項１又は２に記載の電子カメラ。
【請求項４】
前記拡大処理手段は、前記切り出した部分画像を前記電子ファインダー又は前記表示装置の表示画面よりも小さい所定の表示領域に拡大表示させ、前記撮影被写体の画像中に前記第２の倍率の画像を嵌め込み合成することを特徴とする請求項３に記載の電子カメラ。
【請求項５】
前記所定の表示領域を、前記電子ファインダー又は前記表示装置の表示画面の１６分の１の画面から全画面までの範囲内で段階的又は任意に変更させる表示領域変更手段を有することを特徴とする請求項４に記載の電子カメラ。
【請求項６】
前記第２の倍率を変更する倍率変更手段を有することを特徴とする請求項３から５のいずれか１項に記載の電子カメラ。
【請求項７】
前記カメラ本体の背面に、前記電子ファインダー及び前記表示装置のいずれに画像を表示させるかを指示するための表示切替ボタンを備えたことを特徴とする請求項１から６のいずれか１項に記載の電子カメラ。
【手続補正２】
【補正対象書類名】明細書
【補正対象項目名】０００７
【補正方法】変更
【補正の内容】
【０００７】
前記目的を達成するために本発明に係る電子カメラは、カメラ本体と前記カメラ本体前方に突き出したレンズ部とを有し、前記カメラ本体には、前記カメラ本体の背面から見て右側の上面にシャッターボタンと、前記カメラ本体を右手で保持するために前記シャッターボタンの下方に伸びるグリップ部と、前記カメラ本体の背面から見て左側の上部に撮影被写体の画像を覗いて観察するための電子ファインダーと、前記電子ファインダーの下部に撮影被写体の画像を表示する表示装置とを有し、右手で前記グリップ部を保持して前記シャッターボタンを押すことにより撮影動作を行うことが可能であり、前記電子ファインダー又は前記表示装置に所定の倍率で撮影被写体の画像を拡大表示することが可能な電子カメラにおいて、撮影前のピント合わせのためのリアルタイム画像表示時に、撮影被写体の画像を第１の倍率で表示する状態と、前記第１の倍率より高い第２の倍率で撮影被写体の画像を拡大表示する状態とを切り替える切替スイッチを、前記カメラ本体の背面であって、前記表示装置の右側かつ前記グリップ部の左側に配置し、前記切替スイッチは、前記グリップ部を右手で保持した状態で右手の親指によって操作可能であり、かつ、操作時に前記電子ファインダー及び前記表示装置のいずれの観察も阻害しないことを特徴とする。
【手続補正３】
【補正対象書類名】明細書
【補正対象項目名】０００８
【補正方法】変更
【補正の内容】
【０００８】
本発明に係る電子カメラは、撮影前のピント合わせのためのリアルタイム画像表示時に、電子ファインダー及び表示装置のいずれの観察も阻害されることなく、グリップ部を右手で保持した状態で右手の親指によって、撮影被写体の画像を第１の倍率で表示する状態と、前記第１の倍率より高い第２の倍率で撮影被写体の画像を拡大表示する状態とを切り替える切替スイッチを操作することができる。
【手続補正４】
【補正対象書類名】明細書
【補正対象項目名】０００９
【補正方法】変更
【補正の内容】
【０００９】
前記切替スイッチは、前記表示装置の右上、かつ前記電子ファインダーの右側に配置されていることが好ましい。
【手続補正５】
【補正対象書類名】明細書
【補正対象項目名】００１０
【補正方法】変更
【補正の内容】
【００１０】
前記切替スイッチから前記第２の倍率への切換指示を受入すると、前記撮影被写体の画像から所定の部分画像を切り出し、該切り出した部分画像が前記第２の倍率となるように前記電子ファインダー又は前記表示装置に拡大表示させ、前記切替スイッチから前記第１の倍率への切換指示を受入すると、前記撮影被写体の画像を前記第１の倍率で前記電子ファインダー又は前記表示装置に表示させる拡大処理手段とを備えてもよい。
【手続補正６】
【補正対象書類名】明細書
【補正対象項目名】００１１
【補正方法】変更
【補正の内容】
【００１１】
前記拡大処理手段は、前記切り出した部分画像を前記電子ファインダー又は前記表示装置の表示画面よりも小さい所定の表示領域に拡大表示させ、前記撮影被写体の画像中に前記第２の倍率の画像を嵌め込み合成することが好ましい。
【手続補正７】
【補正対象書類名】明細書
【補正対象項目名】００１２
【補正方法】変更
【補正の内容】
【００１２】
前記所定の表示領域を、前記電子ファインダー又は前記表示装置の表示画面の１６分の１の画面から全画面までの範囲内で段階的又は任意に変更させる表示領域変更手段を有していてもよい。また、前記第２の倍率を変更する倍率変更手段を有していてもよい。
【手続補正８】
【補正対象書類名】明細書
【補正対象項目名】００１３
【補正方法】変更
【補正の内容】
【００１３】
上記表示領域変更手段や倍率変更手段により、ピント合わせのための拡大表示する表示領域の大きさやその倍率等を使用者の好みや使用時の状況に応じて変更することができる。
また前記カメラ本体の背面に、前記電子ファインダー及び前記表示装置のいずれに画像を表示させるかを指示するための表示切替ボタンを備えることが好ましい。
【手続補正９】
【補正対象書類名】明細書
【補正対象項目名】００１４
【補正方法】変更
【補正の内容】
【００１４】
本発明によれば、撮影前のピント合わせのためのリアルタイム画像表示時に、電子ファインダー及び表示装置のいずれの観察も阻害されることなく、グリップ部を右手で保持した状態で右手の親指によって、撮影被写体の画像を第１の倍率で表示する状態と、前記第１の倍率より高い第２の倍率で撮影被写体の画像を拡大表示する状態とを切り替える切替スイッチを操作することができる。
【手続補正１０】
【補正対象書類名】明細書
【補正対象項目名】００４６
【補正方法】変更
【補正の内容】
【００４６】
前述したように拡大スイッチ６４をＯＮにすると、図７（Ａ）に示す所定の領域６９Ａの部分画像は、図７（Ｂ）に示す所定の領域６９Ｂに拡大表示されるが、ここで例えば、ズームスイッチ３２をテレ側に操作すると、図７（Ｂ）に示されている所定領域６９Ａ内の画像は、図７（Ｃ）に示すように更に所定の領域６９Ｂに拡大表示される。
【手続補正１１】
【補正対象書類名】図面
【補正対象項目名】図７
【補正方法】変更
【補正の内容】
【図７】
2011103681.tif 000001
【手続補正１２】
【補正対象書類名】図面
【補正対象項目名】図８
【補正方法】変更
【補正の内容】
【図８】
2011103681.tif 000002